(57)【要約】      （修正有）【課題】傘が閉合状態で、ボタンが傘布に覆われ、自然と開くことを防ぐ。【解決手段】一種のストレート傘誤操作を防止するスイッチ構造であり、中棒５と、中棒を包む弾力傘開き構造があり、弾力傘開き構造は中ロクロ１２、下ロクロ１３、套管２１，２２があり、套管は中ロクロと繋がる上套管と下ロクロと繋がる下套管があり、中棒５に底部と近いところに弾力性位置制限片５２があり、下套管に位置制限片が入る穴２２５があり、その穴が下套管を貫き、穴にボタン２２６が付く。【選択図】図１
2018011771.tif 000002
【特許請求の範囲】
【請求項１】
中棒と、該中棒を包む弾力傘開き構造を有し、
該弾力傘開き構造は中ロクロ、下ロクロ、及び、套管を備え、
該套管には、中ロクロと繋がる上套管と、下ロクロと繋がる下套管があり、
前記中棒の底部に近いところに弾力性の位置制限片があり、
前記下套管に前記位置制限片が入る穴があり、その穴が下套管を貫き、穴にボタンを設けることを特徴とする誤操作防止用の傘開閉構造。
【請求項２】
前記ボタンの表は凹み、弧状となり、前記ボタンの全体が穴の中にある請求項1の誤操作防止用の傘開閉構造。
【請求項３】
前記下ロクロの底部に穴へ伸びる弧状の過渡溝がある請求項2の誤操作防止用の傘開閉構造。
【請求項４】
前記中棒の底部に手元が設置され、
前記中棒にカバーがあり、そのカバーは下ロクロから手元までの間にあり、
前記カバーの長さは手元から弾力性の位置制限片までの距離より長く、
前記カバーは位置制限片を覆うか、また、開くことができる請求項3の誤操作防止用の傘開閉構造。
【請求項５】
前記カバーは伸縮パイプである請求項4の誤操作防止用の傘開閉構造。
【請求項６】
手元に伸縮パイプが入る環状溝があり、該環状溝と伸縮パイプとの間に復位バネがある請求項4の誤操作防止用の傘開閉構造。
【請求項７】
前記伸縮パイプに前記位置制限片が入る滑走溝があり、この滑走溝が伸縮パイプの先端部から下へ伸びる請求項6の誤操作防止用の傘開閉構造。
【請求項８】
前記中棒の先端部に上ロクロを設け、
該上ロクロの下に位置限定パイプを設け、
該位置限定パイプに複数の弾力性の空き口があり、
該弾力性の空き口は軸に沿い交差的に設置される請求項7の誤操作防止用の傘開閉構造。
【発明の詳細な説明】
【技術分野】
【０００１】
本発明は傘分野に属し、詳しく述べると、誤操作防止用の傘開閉構造に関する。
【背景技術】
【０００２】
ストレート傘は傘布、傘骨、手元により構成している。ストレート傘にとって、中棒に親骨と繋がる弾力性傘開き構造があり、手元や中棒に開閉ボタンを設置し、ボタンを押すと、弾力性傘開き構造で自動的に開く。現存のボタンは手元或いは中棒に突出した弾力性はじきとボタンを設置する必要がある。弾力性はじきと上ロクロが噛み合うことにより、傘の閉合を実現する。傘が閉合状態の場合、ボタンが手元や中棒に設置されているため、傘を持つ時に、間違いでボタンとぶつかり、傘が自然に開き、不便を招く。
【発明の開示】
【発明が解決しようとする課題】
【０００３】
現存技術の不足により、本発明は傘の閉合状態で、ボタンが傘布に覆われ、間違いでボタンを押すことで傘が開かれることを防ぐ構造を提供する。
【課題を解決するための手段】
【０００４】
前述した目的を実現するために、本発明は以下の技術ソリューションを提供した。それは誤操作防止用の傘開閉構造であり、中ロクロ、下ロクロ、套管を有する。套管には中ロクロと繋がる上套管と下ロクロと繋がる下套管がある。中棒の底部に近いところに弾力性位置制限片がある。下套管に位置制限片が入る穴があり、その穴が下套管を貫き、穴にボタンを設ける。
【０００５】
さらに、ボタンの表面は凹み、アーク状となり、ボタンの全体は穴の中にある。
【０００６】
さらに、下ロクロの底部に穴へ伸びるアーク状の過渡溝がある。
【０００７】
さらに、中棒の底部に手元が設置される。中棒にカバーがあり、そのカバーは下ロクロから手元までの間にある。このカバーの長さは手元から弾力性位置制限片までの距離より長く、カバーは位置制限片を覆うまた開くことができる。
【０００８】
さらに、そのカバーは伸縮パイプである。
【０００９】
さらに、手元に伸縮パイプが入る環状溝があり、環状溝と伸縮パイプとの間に復位バネがある。
【００１０】
さらに、伸縮パイプに位置制限片が入る滑走溝があり、滑走溝は伸縮パイプの先端部から下へ伸びる。
【００１１】
さらに、中棒の先端部に上ロクロが、上ロクロの下に位置限定パイプがあり、位置限定パイプに複数の弾力性空き口があり、弾力性の空き口は軸に沿い交差的に設置される。
【発明の効果】
【００１２】
ボタンを下ロクロに設置することで、傘が閉合状態時、下ロクロが傘布に覆われ、手元を持ち、手元が傘布の中に入らないため、誤操作でボタンを押すことを防ぐことができる。
【００１３】
ボタン全体が穴の中に入り、ボタンを間違いで押すことで傘を開くことを防ぐことができる。しかも、ボタン全体は穴の中にあり、傘布と傘骨によるプレッシャーを避けられる。  
【００１４】
開く時に、手を傘内に入れ、下ロクロにあるボタンを押すだけでよい。  
【００１５】
傘が開かれる状態で、カバーが自動的に上へ滑走し、位置制限片を覆い、外観がより美しくなり、弾力性位置制限片が髪や他の部分と噛み合うことを防ぐことができる。  
【００１６】
傘が閉合状態で、カバーが縮み手元の環状溝に入り、傘が開かれる時、弾力性傘開き構造が中棒に沿い上へ滑走し、上ロクロとぶつかり、上ロクロの下に位置限定套管があり、位置限定套管の上に弾力性空き口があり、弾力性傘開き構造が上へ滑走したら、その位置限定套管と衝突し、位置限定套管は、ある程度の弾力性があるため、衝撃を緩和させることができる。
【図面の簡単な説明】
【００１７】
【図１】本発明実施形態の誤操作防止用の傘開閉構造の構造図である。
【発明を実施するための形態】
【００１８】
図1を参考して、本発明の一実施形態である誤操作防止用の傘開閉構造の構造を詳しく説明する。
【００１９】
図1に示すように、それぞれ中棒5、中棒5を包む弾力性傘開き構造を有する。この弾力性傘開き構造は中ロクロ12、下ロクロ13、套管21，22を備える。套管21，22には、中ロクロ12と繋がる上套管21と下ロクロ13と繋がる下套管22がある。中棒5の底部に近いところに弾力性の位置制限片52がある。下套管22に位置制限片52が入る穴225があり、その穴225が下套管22を貫き、穴225にボタン226を設けている。その他、弾力性傘開き構造は、上套管21と下套管22の内部にあるコイルスプリングである傘開きバネ3を備える。
【００２０】
使用時、下套管22を持ち、中棒5に沿って下へ滑走させると、套管21と中ロクロ12は下ロクロ22の内部へ移動し、同時に傘開きバネ3に圧縮をかけ、下套管22は弾力性の位置制限片52にプレッシャーをかけ、弾力性の位置制限片52を穴225に入らせる。その時、傘の閉合動作が完成する。傘骨により傘布が閉合し、弾力性傘開き構造を覆う。傘を開く時に、手を傘布の中に入れ、下套管22にあるボタン226を押すと、弾力性の位置制限片52が穴225から離れ、傘開き用バネ3で傘を自動的に開かせる。
【００２１】
本実施例の最適例としては、ボタン226の表が凹みアーク状となり、ボタン226の表面が下套管22の表面より低い。即ち、ボタン226の表面が套管22の表面より出ておらず、傘骨と傘布により押されることを避けることができる。
【００２２】
本実施例の最適例として、下套管22の底部に穴225へ伸びる弧状の過渡溝227がある。過渡溝227で、傘が閉合時、位置制限片52が穴225に入りやすくなり、体力の消耗を省ける。過渡溝227は図１では上方に向かって空隙が徐々に狭くなる傾斜面を有する。
【００２３】
本実施例の最適例として、中棒5の底部に手元7が設置される。中棒5にカバー用套管8が設置され、下套管22と手元7の間にある、カバー用套管8の長さは手元7から位置制限片52までの距離より長く、カバー用套管8は位置制限片52を覆い、また開くことが可能である。カバー用套管8の滑走溝53に位置制限片52が収容される。手元7にカバー用套管8が入る環状溝78があり、環状溝78とカバー用套管8との間に、コイルスプリングである復位バネ87がある。
【００２４】
傘が閉合状態で、下套管22と弾力性の位置制限片52が噛み合い、カバー用套管8の一部が手元7の環状溝78内に入り、復位バネ87を圧縮状態させる。傘が開いた時、下套管22が位置制限片52から離れ、上へ滑走するに伴い、カバー用套管8は復位バネ87により、位置制限片52を覆うまで、上へ滑走する。弾力性の位置制限片52が突出することで、他の物品との衝突を防ぐ。
【００２５】
本実施例の最適例として、カバー用套管8に弾力性位置制限片52が入る滑走溝53があり、カバー用套管8が下へ移動し、カバー用套管8が位置制限片52を覆う場合、滑走溝53で位置制限片52へのプレッシャーを避け、弾力性を失うことを防ぐ。滑走溝53の底部が位置制限片52と当たり、カバー用套管8が環状溝78から脱出することを防ぐ。
【００２６】
本実施例の最適例として、中棒5の先端部に上ロクロ11がある。上ロクロ11の下に位置限定套管6があり、位置限定套管6に弾力性の空き口61があり、弾力性の空き口61は軸に対して方向が交差的に設置され、傘を開く時に、弾力性傘開き構造が中棒5に沿って上へ滑走し、先端部の上ロクロ11と当たり、上へ滑走する途中、最初に位置限定套管6と接触して、位置限定套管6の弾力性空き口61で弾力性を与え、弾力性傘開き構造に緩和的な役割を備える。
【００２７】
以上は本発明の最適な実施方法であるが、本発明の保護範囲はそれに限らない。本発明の考えに沿った技術ソリューション案はすべて本発明の保護範囲とみなされる。本技術分野における通常の技術者にとって、本発明の原理を逸脱しないことを前提として、改良や取替え等も本発明の保護範囲内とみなされる。
【符号の説明】
【００２８】
11・・・上ロクロ
12・・・中ロクロ
13・・・下ロクロ
21・・・上套管
22・・・下套管
225・・・穴
226・・・ボタン
227・・・過渡溝
3・・・傘開きバネ
5・・・中棒
52・・・弾力性位置制限片
53・・・滑走溝
6・・・位置限定套管
61・・・弾力性空き口
7・・・手元
78・・・環状溝
8・・・カバー用套管
87・・・復位バネ
【図１】
2018011771.tif 000003